(57)【要約】    【課題】  本発明は、ディスク型記録媒体に音声情報を記録する駆動部から発生する動作音や振動音を低減すると共に、当該駆動部の消費電力を低減することができる記録装置を提供する。    【解決手段】  制御マイコン１１６がオーディオ入力処理回路１０２からのノイズ成分のレベル情報に基づいて信号／制御処理回路１２４を制御し、外部の騒音レベルがある程度大きいときには、ディスク記録再生部１４０からの騒音が目立たないため、消費電力の少ない第１のモードを使用し、外部の騒音レベルが少なく静かな環境では、消費電力は第１のモードより大きいがディスクメディアの回転数が低く静かな第２のモードを使用するよう、ディスク１３１の回転動作及びディスク１３１に対するデータの読み書きを制御する。【選択図】      図４
2006338824.tif 000002
【特許請求の範囲】
【請求項１】
音声情報を入力する音声情報入力手段と、
間欠的にディスク状記録媒体を回転させながら、前記入力された音声情報を前記ディスク型記録媒体に記録する記録手段と、
前記入力された音声情報に含まれる騒音レベルに応じて、前記ディスク状記録媒体の回転動作に関連した前記音声情報の記録時における消費電力が互いに異なる第１のモード及び第２のモードを切り替える切替手段とを備えることを特徴とする記録装置。
【請求項２】
前記第１のモードと前記第２のモードは、前記ディスク状記録媒体の回転休止期間及び前記ディスク状記録媒体の回転速度が互いに異なることを特徴とする請求項１記載の記録装置。
【請求項３】
前記第１のモードは、前記音声情報記録時のディスク型記録媒体の回転数が前記第２のモードより高く、且つ前記回転休止期間が前記第２のモードより長く設定され、前記第２のモードより消費電力が低いことを特徴とする請求項２記載の記録装置。
【請求項４】
前記切替手段は、前記入力された音声情報に含まれる騒音レベルが所定のしきい値よりも大きいか否かを判別する判別手段を備え、前記騒音レベルが所定のしきい値よりも大きいときは、前記第１のモードに切り替える一方、前記所定のしきい値よりも小さいときは、前記第２のモードに切り替えることを特徴とする請求項１乃至３のいずれか１項に記載の記録装置。
【請求項５】
音声情報を入力する音声情報入力工程と、
間欠的にディスク状記録媒体を回転させながら、前記入力された音声情報を前記ディスク型記録媒体に記録する記録工程と、
前記入力された音声情報に含まれる騒音レベルに応じて、前記ディスク状記録媒体の回転動作に関連した前記音声情報の記録時における消費電力が互いに異なる第１のモード及び第２のモードを切り替える切替工程とを備えることを特徴とする記録方法。
【請求項６】
前記第１のモードと前記第２のモードは、前記ディスク状記録媒体の回転休止期間及び前記ディスク状記録媒体の回転速度が互いに異なることを特徴とする請求項５記載の記録方法。
【請求項７】
前記第１のモードは、前記音声情報記録時のディスク型記録媒体の回転数が前記第２のモードより高く、且つ前記回転休止期間が前記第２のモードより長く設定され、前記第２のモードより消費電力が低いことを特徴とする請求項６記載の記録方法。
【請求項８】
前記切替工程は、前記入力された音声情報に含まれる騒音レベルが所定のしきい値よりも大きいか否かを判別する判別工程を備え、前記騒音レベルが所定のしきい値よりも大きいときは、前記第１のモードに切り替える一方、前記所定のしきい値よりも小さいときは、前記第２のモードに切り替えることを特徴とする請求項５乃至７のいずれか１項に記載の記録方法。
【請求項９】
請求項５乃至８のいずれか１項に記載の記録方法をコンピュータに実行させるためのコンピュータに読み取り可能なプログラム。
【発明の詳細な説明】
【技術分野】
【０００１】
本発明は、マイク等の音声情報入力手段を備え、該音声情報入力手段により入力した音声情報をディスク型記録媒体に記録する記録装置及び方法、並びにプログラムに関し、特に、記録速度の切り替え可能で、入力された音声情報を間欠的に記録することが可能な記録装置及び方法、並びにプログラムに関する。
【背景技術】
【０００２】
近年、ディスク型記録媒体（ディスクメディア）の大容量化が急速に進展し、音声のみならず映像信号をも長時間記録し再生するディスク型記録装置が提案されている。例えば、ＭＰＥＧ（Moving Picture Expert Group）等の高能率符号化処理に基づいた記録フォーマットを採用し、４Ｍｂｐｓ〜１０Ｍｂｐｓ程度の圧縮データレートで数十分〜１時間程度の動画像の記録が可能なビデオカメラを実現し得る技術が民生レベルで展開されている。このようなディスクメディアを用いたビデオカメラ（以下、「ディスクカムコーダ」という）において、小型化・高密度化が推し進められるに伴い、ディスクカムコーダ内部の構成部品の充填密度が高まっている。
【０００３】
このように、ディスクカムコーダの小型化・高密度化に伴ってディスクドライブユニットとマイクロフォンが近接配置された場合、ディスクドライブユニットから生じる動作音や振動音がノイズとしてマイクロフォンから混入し、記録されてしまうおそれがある。
【０００４】
そこで、このような問題を解決するため、内蔵する撮像手段からの画像やマイクロフォンからの音声を記録する際に、外部機器からの画像や音声データを記録する場合とは異なる制御プロファイルにより記録動作を制御し、マイクロフォンからの音声にノイズが混入しないように記録処理を制御する技術が提案されている（特許文献１参照）。
【特許文献１】特開２００３−１４３５２５号公報
【発明の開示】
【発明が解決しようとする課題】
【０００５】
しかしながら、上記従来の技術では、内蔵する撮像手段等による撮影モードでの記録動作と外部機器から受信した音声データ等の記録動作とが異なるように制御されているが、撮影モードにおける記録制御の切替については行われていない。そのため、撮影モード中は、単一の記録動作しか行われておらず、消費電力の低減についてはなんら考慮されていない。
【０００６】
また、撮影時、すなわちディスクメディアに画像や音声データを記録している最中にディスクドライブユニットから生じる動作音や振動音がノイズとしてマイクロフォンから混入してもなんら対応がなされておらず、高品質な記録ができないおそれがある。
【０００７】
本発明は、上記問題に鑑みて成されたものであり、ディスク型記録媒体に音声情報を記録する駆動部から発生する動作音や振動音を低減すると共に、当該駆動部の消費電力を低減することができる記録装置及び方法、並びにプログラムを提供することを目的とする。
【課題を解決するための手段】
【０００８】
上記目的を達成するために、請求項１記載の記録装置は、音声情報を入力する音声情報入力手段と、間欠的にディスク状記録媒体を回転させながら、前記入力された音声情報を前記ディスク型記録媒体に記録する記録手段と、前記入力された音声情報に含まれる騒音レベルに応じて、前記ディスク状記録媒体の回転動作に関連した前記音声情報の記録時における消費電力が互いに異なる第１のモード及び第２のモードを切り替える切替手段とを備えることを特徴とする。
【０００９】
上記目的を達成するために、請求項５記載の記録方法は、音声情報を入力する音声情報入力工程と、間欠的にディスク状記録媒体を回転させながら、前記入力された音声情報を前記ディスク型記録媒体に記録する記録工程と、前記入力された音声情報に含まれる騒音レベルに応じて、前記ディスク状記録媒体の回転動作に関連した前記音声情報の記録時における消費電力が互いに異なる第１のモード及び第２のモードを切り替える切替工程とを備えることを特徴とする。
【発明の効果】
【００１０】
本発明によれば、入力された音声情報を、ディスク状記録媒体を間欠的に回転させながら記録し、入力された音声情報に含まれる騒音レベルに応じて、ディスク状記録媒体の回転動作に関連した音声情報の記録時における消費電力が互いに異なる第１のモード及び第２のモードを切り替えるので、ディスク型記録媒体に音声情報を記録する駆動部から発生する動作音や振動音を低減すると共に、当該駆動部の消費電力を低減することができる。
【発明を実施するための最良の形態】
【００１１】
以下、本発明の実施の形態を図面を参照して詳細に説明する。
【００１２】
図１は、本発明の実施の形態に係る記録装置の内部構成を示すブロック図である。
【００１３】
図１において、本記録装置は、ディスク型記録媒体（ディスクメディア）への記録／再生を行うことが可能なカメラ一体型記録再生装置（以下、「ディスクカムコーダ」という）１００である。
【００１４】
ディスクカムコーダ１００は、外部からデジタル音声や映像信号を入力するデジタル音声／映像入力端子１１２と、外部電源から電力を入力する外部電源入力端子１２０と、内部電源であるバッテリー１２２と、バッテリー１２２に充電するための充電回路１２１と、電圧等を制御する電源回路（ＤＣ／ＤＣコンバータ）１２３と、撮像を行うカメラ部１３７と、各部への電力供給のＯＮ／ＯＦＦを切り替えるスイッチ回路１３６と、デジタル音声や映像を出力する出力部１３８と、各部を制御する制御部１３９と、ディスクカムコーダ１００に装着されたディスクメディアへの記録／再生を行うディスク記録再生部１４０とを備える。
【００１５】
まず、カメラ部１３７の構成及び動作を説明する。
【００１６】
カメラ部１３７は、音声情報を入力するマイク１０１と、マイク１０１に接続されたオーディオ入力処理回路１０２と、複数のレンズ群で構成されたレンズユニット１０５と、レンズユニット１０５を介して入力された画像情報を受ける撮像センサ（ＣＣＤ：Charge Coupled Device）１０６と、ＣＣＤ１０６に接続されたカメラ映像信号処理回路１０７と、レンズユニット１０５を駆動制御するドライバ１１１とを備える。ドライバ１１１は、ソフトウェアで構成されるものであるが、ハードウェアで構成されていてもよい。
【００１７】
画像情報は、レンズユニット１０５を介してＣＣＤ１０６に入力され、該ＣＣＤ１０６にて電気信号に変換され、カメラ映像信号処理回路１０７にて映像信号に変換される。変換された映像信号は、出力部１３８内の圧縮／伸張処理回路１０８に送信される。
【００１８】
音声情報は、マイク１０１を介してオーディオ入力処理回路１０２に入力され、音声信号に変換される。変換された音声信号は、カメラ部１３７から出力部１３８内の圧縮／伸張処理回路１０８に送信される。受信した音声信号は、圧縮／伸張処理回路１０８にて圧縮され、ディスク記録再生部１４０内の信号／制御処理回路１２４に送られる。
【００１９】
オーディオ入力処理回路１０２は、マイク１０１から入力された音声信号中、ノイズ成分のレベルを検出して制御マイコン１１６に出力する。本実施の形態では、装置全体を制御する制御マイコン１１６がオーディオ入力処理回路１０２からのノイズ成分のレベルに応じて、後述の如く信号／制御処理回路１２４を制御し、ディスクカムコーダ１００の動作モードを選択する。
【００２０】
次に、出力部１３８の構成及び動作を説明する。
【００２１】
出力部１３８は、オーディオ出力処理回路１０３と、音声出力端子１０４と、映像及び音声を圧縮又は伸張する圧縮／伸張処理回路１０８と、映像表示／出力処理回路１０９と、ＬＣＤ（Liquid Crystal Monitor）１１０と、デジタル入力処理回路１１３と、デジタル出力端子１１４と、映像出力端子１３５とを備える。
【００２２】
カメラ部１３７から受信した音声信号及び映像信号は、圧縮／伸張処理回路１０８にてデジタル映像／音声圧縮信号に変換される。圧縮方式としては、動画を扱うためのＭＰＥＧ方式や静止画を扱うためのＪＰＥＧ（Joint Photographic Experts Group）方式などが挙げられる。
【００２３】
圧縮／伸張処理回路１０８は、デジタル音声／映像入力端子１１２を介して外部から入力された信号をデジタル映像／音声圧縮信号に変換することもできる。圧縮／伸張処理回路１０８から出力される音声信号は、オーディオ出力処理回路１０３を介して音声出力端子１０４から出力される。一方、圧縮／伸張処理回路１０８から出力される映像信号は、映像表示／出力処理回路１０９を介してＬＣＤ１１０により表示されると共に、映像出力端子１３５からも出力される。また、当該映像信号は、デジタル入力処理回路１１３を介してデジタル出力端子１１４からデジタル映像／音声信号として出力される。
【００２４】
なお、圧縮／伸張処理回路１０８を介して入力された入力信号と出力信号の流れについて説明したが、入力信号に対して必ず、音声信号及び映像信号ともに圧縮／伸張処理を施す必要はないことは云うまでもない。
【００２５】
次に、制御部１３９の構成及び動作を説明する。
【００２６】
制御部１３９は、Ｄ−ＲＡＭ１１５と、装置全体を制御する制御マイコン１１６と、フラッシュメモリ（Ｆ−ＲＡＭ）１１７と、装置の操作スイッチ（ＳＷ）１１８と、インターフェース（ＩＦ）回路１１９とを備える。
【００２７】
ディスクカムコーダ１００は、使用者が操作スイッチ１１８を操作することにより動作する。操作スイッチ１１８からの出力は、制御マイコン１１６に入力される。
【００２８】
制御マイコン１１６は、ドライバ１１１を介してレンズユニット１０５を制御し、被写体画像をＣＣＤ１０６上に結像させる。また、動画や静止画を圧縮／伸張処理回路１０８によりデジタル信号に圧縮させてＤ−ＲＡＭ１１５に一時記憶するように制御する。これら動画や静止画のデジタル信号は、インターフェース回路１１９を介して、ディスク記録再生部１４０内の信号／制御処理回路１２４へ送られる。インターフェース回路１１９としては、例えば、ＡＴＡＰＩ規格等が採用される。
【００２９】
また、制御マイコン１１６は、充電回路１２１を監視して電源の状態を把握し、スイッチ回路１３６を制御してカメラ部１３７の電源処理を行う。
【００３０】
Ｆ−ＲＡＭ１１７は、制御マイコン１１６を動作させるためのプログラム等を記憶するメモリである。Ｄ−ＲＡＭ１１５は、圧縮／伸張処理回路１０８の処理データや制御マイコン１１６の処理データを一時記憶するメモリである。
【００３１】
次に、ディスク記録再生部１４０の構成及び動作を説明する。
【００３２】
ディスク記録再生部１４０は、ディスクメディアの信号／制御処理回路１２４と、Ｄ−ＲＡＭ１２５と、Ｓ−ＲＡＭ１２６と、フラッシュメモリ（Ｆ−ＲＡＭ）１２７と、ディスク記録再生部１４０の制御マイコン１２８と、記録再生回路１２９と、ディスクメディアへ不図示のレーザ発振器から照射されるレーザで記録再生を行うピックアップ（ＯＰＵ）１３０と、ディスクメディア１３１と、スピンドルモータ１３２と、ピックアップ１３０をディスクメディア上へ移動させる送りモータ１３３と、スピンドルモータ１３２と送りモータ１３３とピックアップ１３０内のフォーカス方向及びトラッキング方向のアクチュエータ（図示せず）をそれぞれ駆動するアクチュエータドライバ１３４とを備える。
【００３３】
ディスク記録再生部１４０は、インターフェース回路１１９から入力された動画又は静止画情報を信号／制御処理回路１２４とＤ−ＲＡＭ１２５によりディスクメディアに応じた記録フォーマットに変換し、記録再生回路１２９、ピックアップ１３０を介してディスクメディア１３１にレーザで記録する。
【００３４】
ディスクメディア１３１とＯＰＵ１３０の相対位置は、ＯＰＵ１３０を時分割にて再生動作させて、ディスクメディア１３１上から予め書き込まれた位置情報を記録再生回路１２９を介して検出し、信号／制御処理回路１２４及び制御マイコン１２８にて処理し、アクチュエータドライバ１３４を介して、スピンドルモータ１３２、送りモータ１３３、及び不図示のＯＰＵ１３０内のフォーカス及びトラッキングを制御するアクチュエータを駆動することにより制御される。
【００３５】
Ｓ−ＲＡＭ（Static Random Access Memory）１２６及びＦ−ＲＡＭ１２７は、制御マイコン１２８の演算データの一時記憶やプログラム等を記憶する。
【００３６】
外部電源入力端子１２０から供給される電源又はこの電源から充電回路１２１により充電されるバッテリー１２２から電源回路（ＤＣ／ＤＣコンバータ）１２３を介して必要な電力が各部に供給される。
【００３７】
ディスクカムコーダ１００では、上述したように記録動作が行われるが、再生時の再生動作は、略反対の動作が行われる。
【００３８】
すなわち、ＯＰＵ１３０及び記録再生回路１２９を介してディスクメディア１３１上の情報を検出し、信号／制御処理回路１２４及び制御マイコン１２８によりディスクメディア１３１に応じた記録フォーマットを復調し、インターフェース回路１１９を介して圧縮／伸張処理回路１０８へ戻す。ここで、圧縮された映像信号及び音声信号を伸張して、映像表示／出力処理回路１０９やオーディオ出力処理回路１０３を介してＬＣＤ１１０や音声出力端子１０４、映像出力端子１３５に出力する。また、伸張する前の情報をデジタル入力処理回路１１３を介してデジタル出力端子１１４に出力する。
【００３９】
ディスクカムコーダ１００は、外部電源入力端子１２０を有し、該外部電源入力端子１２０に接続された電源からの電力供給を可能としている。この外部電源入力端子１２０を介して供給される電力により充電回路１２１を介してバッテリー１２２が充電される。外部電源入力端子１２０に外部電源が接続されているときは、外部電源からの電力がＤＣ／ＤＣコンバータ１２３を介して各ブロックに供給される。一方、外部電源が接続されていないときには、バッテリー１２２からの電力がＤＣ／ＤＣコンバータ１２３を介して各ブロックへ供給する。
【００４０】
ディスクメディア１３１には、例えば、再生専用としてのＤＶＤ−ＲＯＭ、追記型メディアとしてのＤＶＤ±Ｒ、書き換え型ディスクとしてのＤＶＤ±ＲＷ及びＤＶＤ−ＲＡＭがある。これらディスクメディアへの記録フォーマットとしては、例えば、ビデオフォーマット（DVD Video format）とビデオレコーディングフォーマット（Video recording format）が提案されている。
【００４１】
ビデオフォーマットは、映画等の事前に充分に編集処理された映像情報を、例えば、マルチアングルやパレンタル再生、ランダム・シャッフル再生するなどの独自の機能を実現したり、早送りや巻き戻しなどの特殊再生をサポートするための強力な情報データを持っている。
【００４２】
一方、ビデオレコーディングフォーマットは、書き換え型ディスクを前提に編集処理を経ずにリアルタイムでビデオ信号を記録し、記録後簡単に編集処理ができるアプリケーションを考慮している。しかし、このビデオレコーディングフォーマットで記録された信号は、ビデオフォーマットで記録された再生専用ディスクを再生することが可能な多くのＤＶＤプレーヤーでは再生できないものが多いという問題がある。この問題は、書き換え型ディスクであるＤＶＤ±ＲＷやＤＶＤ−ＲＡＭでは、一旦、ビデオレコーディングフォーマットで記録した後に編集作業を行い、再びビデオフォーマットに変換して再記録することで解決できるが、１回のみの追記型ディスクであるＤＶＤ±Ｒディスクではビデオレコーディングフォーマットで１度記録してしまうと、再度書き換えることができず、そのディスクは上記ＤＶＤプレーヤーで再生することはできない。
【００４３】
そこで、ＤＶＤ±Ｒディスクでは、簡易フォーマットの形式でリアルタイムに情報が一旦記録され、最後にファイナライズ処理を行うことで上記標準のビデオフォーマットに準拠した記録管理データを再記録する方法が採用されている。
【００４４】
次に、図１のディスクカムコーダ１００における動作モードの概念について図２を参照して説明する。
【００４５】
図２は、図１のディスクカムコーダ１００における動作モードの概念図である。
【００４６】
ディスクカムコーダ１００は、撮影モード時に複数の動作モードを有し、本実施の形態では、第１の動作モード（以下、「第１のモード」という）と第２の動作モード（以下、「第２のモード」という）を有するものとする。どの動作モードでも共通の周期ｔ１でディスクメディアへの読み書きを行う。また、周期ｔ１内で読み書きされる情報量も一定とする。このため、同一情報量を書き終わるまでにかかる時間はどの動作モードでも一定である。
【００４７】
本実施の形態において、第１のモードでは、周期ｔ１内に０．１５ｔ１時間でディスクを回転させながらデータの読み書きを行い、０．８５ｔ１時間ディスクメディアの回転を停止してデータの読み書きを休止する。この第１のモードでは、ディスクメディアをＮｒｐｍの回転数で回転させる。
【００４８】
第２のモードでは、周期ｔ１内に０．３ｔ１時間でディスクメディアを回転させながらデータの読み書きを行い、０．７ｔ１時間ディスクメディアの回転を停止してデータの読み書きを休止する。この第２のモードでは、ディスクを０．５Ｎｒｐｍの回転数で回転させる。なお、本実施の形態では、第１のモードと第２のモードのディスクメディアの回転数比を２：１としているが、これに限定されるものではない。
【００４９】
本実施の形態では、第１のモードと第２のモードを、図２に示すように、刻々と変化する外部からの騒音の大きさに応じて使い分けている。騒音は、マイク１０１から入力される、駆動部であるディスク記録再生部１４から発生する動作音や振動音等のノイズが含まれる。
【００５０】
図３は、図２の各動作モードで消費される消費電力を模式的に表した図であり、（ａ）は第１のモード、（ｂ）は第２のモードを示す。同図では、ディスク記録再生部１４０の単位時間当たりの消費電力を縦軸に、ディスクメディアへの読み書きに要する時間（周期ｔ１）を横軸にする。消費電力は、相対比較用に第１のモードでの単位時間当たりの合計消費電力を１０として表示し、消費電力の比率は実験的に求められた代表値である。
【００５１】
図３（ａ）において、第１のモードでの消費電力は、全体１０に対してピックアップ１３０のレーザ発振器が８．３であり、スピンドルモータ１３２が０．３、信号処理が１．４となる。
【００５２】
これに対して、第２のモードでの消費電力は、図３（ｂ）に示すように、ピックアップ１３０のレーザ発振器が６．４となる。このように、ディスクメディアの回転数を半分にしたときは、ピックアップ１３０のレーザ発振器の消費電力は２割程度低下することがわかる。
【００５３】
第２のモード時のスピンドルモータ１３２の消費電力は、ディスクメディアの回転数が半分であるため、約４分の１の０．０８に減少する。信号処理に費やされる消費電力は、ディスクメディアの回転数には殆ど影響を受けないため、第１のモードと第２のモードとは同じ１．４である。
【００５４】
このように、第２のモードにおける単位時間当たりの消費電力の合計は、図３（ｂ）に示すように、７．８８となる。そして、この単位時間当たりの消費電力１０が、第１のモードでは０．１５ｔ１という時間で消費されるため、１．５t１が周期ｔ１に消費される電力となる。
【００５５】
これに対し、第２のモードでは単位時間当たりの消費電力の合計７．８８が０．３t１という時間で消費されるため、２．３６t１が周期t１に消費される電力となる。第１のモードと第２のモードとを比較すると、第１のモードは第２のモードの６割程度の消費電力である。
【００５６】
このように、第１のモードは、ディスクメディアの回転数が高いことによって間欠記録時の休止時間が長くなり、消費電力を抑えることができる。しかしながら、回転数が高いために、ディスク記録再生部１４０から発生する騒音が大きくなってしまうというデメリットがある。一方、第２のモードは、消費電力が第１のモードに比べて大きいものの、ディスクメディアの回転数が低いため、ディスク記録再生部１４０からの騒音が少ないというメリットがある。
【００５７】
そこで、本実施の形態では、制御マイコン１１６がオーディオ入力処理回路１０２からのノイズ成分のレベル情報に基づいて信号／制御処理回路１２４を制御し、外部の騒音レベルがある程度大きいときには、ディスク記録再生部１４０からの騒音が目立たないため、消費電力の少ない第１のモードを使用し、外部の騒音レベルが少なく静かな環境では、消費電力は第１のモードより大きいがディスクメディアの回転数が低く静かな第２のモードを使用するよう、ディスク１３１の回転動作及びディスク１３１に対するデータの読み書きを制御する。このように制御することで、消費電力を抑えつつディスク記録再生部１４０から発生する騒音を最小限にすることができる。
【００５８】
次に、マイク１０１から入力される騒音に対するディスク記録再生部１４０の動作モード選択制御処理について図４を参照して説明する。
【００５９】
図４は、制御マイコン１１６により実行される動作モード選択制御処理を示すフローチャートである。
【００６０】
図４において、まず、電源がＯＮされると（ステップＳ４０１）、ノイズ成分のレベルがしきい値よりも大きいか否かを判断する（ステップＳ４０２）。このしきい値は、ディスク記録再生部１４０の性能や、ディスクカムコーダ１００内のマイク１０１とディスク記録再生部１４０との位置関係によって予め設定される値である。
【００６１】
ステップＳ４０２の判別の結果では、外部騒音がしきい値よりも大きいときは、第１のモードで記録再生を行う（ステップＳ４０３）。一方、ステップＳ４０２で外部騒音がしきい値と同等又は小さいときは、第２のモードで記録再生を行う（ステップＳ４０４）。
【００６２】
ステップ４０５では、電源がＯＦＦされたか否かを判別し、ＯＦＦされていないときは、ステップＳ４０２へ戻る一方、電源がＯＦＦされたときは、本処理を終了する。
【００６３】
上記実施の形態によれば、ディスクカムコーダ１００の電源がＯＮしている間は常にマイク１０１からの外部騒音をモニターし、外部騒音がある程度大きいときは、消費電力の少ない第１のモードを使用する一方、外部騒音が少なく静かな環境では、第２のモードを使用するので、ディスク型記録媒体に音声情報を記録する駆動部から発生する動作音や振動音を低減すると共に、当該駆動部の消費電力を低減することができる。
【００６４】
上記実施の形態におけるディスクメディアは、記録型ＤＶＤに対応するものについて説明したが、これに限定されず、ハードディスクやブルーレイディスク、ＨＤ−ＤＶＤなどにも適用可能であることは云うまでもない。
【００６５】
また、本実施の形態では、ディスクカムコーダ１００を用いて説明を行ったが、本発明の適用が可能な電子機器はこの限りではない。すなわち、本発明が音声情報入力手段とディスク型記録メディアに記録する記録手段とを備えるレコーダや携帯情報端末にも適用可能であることは云うまでもない。
【００６６】
本発明の目的は、上記実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００６７】
この場合、記憶媒体から読み出されたプログラムコード自体が上述した実施の形態の機能を実現することになり、そのプログラムコードを記憶した記憶媒体は本発明を構成することになる。
【００６８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ±Ｒ、ＤＶＤ−ＲＡＭ、ＤＶＤ±ＲＷ、磁気テープ、不揮発性のメモリカード等を用いることができる。または、プログラムコードをネットワークを介してダウンロードしてもよい。
【００６９】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって上述した実施の形態の機能が実現される場合も含まれる。
【００７０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施の形態の機能が実現される場合も含まれる。
【図面の簡単な説明】
【００７１】
【図１】本発明の実施の形態に係る記録装置の内部構成を示すブロック図である。
【図２】図１のディスクカムコーダ１００における動作モードの概念図である。
【図３】図２の動作モードで消費される消費電力を模式的に表した図であり、（ａ）は第１のモード、（ｂ）は第２のモードを示す。
【図４】制御マイコン１１６により実行される動作モード選択制御処理を示すフローチャートである。
【符号の説明】
【００７２】
１０１  マイク
１０６  ＣＣＤ
１０８  圧縮／伸張処理回路
１０９  映像表示／出力処理回路
１１６，１２８  制御マイコン
１２１  充電回路
１２２  バッテリー
１２３  電源回路
１２４  信号制御処理回路
１３１  ディスクメディア
１３７  カメラ部
１３９  制御部
１４０  記録再生部
【図１】
2006338824.tif 000003
【図２】
2006338824.tif 000004
【図３】
2006338824.tif 000005
【図４】
2006338824.tif 000006